(57)【要約】【課題】  屋根フレームが前後方向に揺動して転倒しないようにする蛇腹式テント構造体を提供する。【解決手段】  前後方向に移動可能に設けられた複数の屋根フレーム２と、縦向きに設けられて屋根フレーム２の各々を伸縮可能に連結する縦パンタグラフ機構４と、を備え、縦パンタグラフ機構４は、前後方向に連結された複数のＸ形リンク４ａを備え、縦パンタグラフ機構４の隣り合うＸ形リンク４ａの上下端部の連結部４ａ１，４ａ２は、複数の屋根フレーム２の各々に連結されるとともに隣り合う屋根フレーム２間において縦材９と連結され、縦材９は、Ｘ形リンク４ａの連結部４ａ１，４ａ２によって支持されるとともに、屋根フレーム２の上辺と略平行に延びるテントシート支持部材１０を上端部に備え、隣り合うＸ形リンク４ａを互いに連結する上端部の連結部４ａ１が上下方向に可動に連結されている。【選択図】  図９
2014134048.tif 000002
【特許請求の範囲】
【請求項１】
前後方向に移動可能に設けられた複数の屋根フレームと、
縦向きに設けられて前記屋根フレームの各々を伸縮可能に連結する縦パンタグラフ機構と、を備え、
前記縦パンタグラフ機構は、前後方向に連結された複数のＸ形リンクを備え、
前記縦パンタグラフ機構の隣り合うＸ形リンクの上下端部の連結部は、前記複数の屋根フレームの各々に連結されるとともに隣り合う屋根フレーム間において縦材と連結され、
前記縦材は、前記Ｘ形リンクの連結部によって支持されるとともに、前記屋根フレームの上辺と略平行に延びるテントシート支持部材を上端部に備え、
前記隣り合うＸ形リンクを互いに連結する上下端部の連結部は、上端部又は下端部の何れか一方のみの連結部が上下方向に可動に連結されていることを特徴とする、蛇腹式テント構造体。
【請求項２】
前記縦材は、前記Ｘ形リンクの連結部を上下方向に可動に連結するための縦スリットが形成されていることを特徴とする請求項１に記載の蛇腹式テント構造体。
【請求項３】
横向きに設けられて前記屋根フレームの各々を伸縮可能に連結する横パンタグラフ機構を更に備えることを特徴とする請求項１又は２に記載の蛇腹式テント構造体。
【発明の詳細な説明】
【技術分野】
【０００１】
本発明は、テントの少なくとも屋根部分が前後方向において蛇腹状に伸縮することにより、長尺物・重量物など長くて重い資材を保管するのに適した蛇腹式テントの構造体に関する。
【背景技術】
【０００２】
従来この種のテント構造体として、前後方向に移動可能に設けられた複数の屋根フレームと、各屋根フレームに覆設されたテントシートと、各屋根フレーム間に設けられて各屋根フレームを伸縮可能に連結するパンタグラフ機構と、各屋根フレーム間に設けられて各屋根フレームを平行移動可能に連結する平行移動機構と、から構成したことを特徴とする蛇腹式テントが知られている（特許文献１）。この蛇腹式テントは、強風や地震等による外力が屋根に作用しても、屋根フレームが前後方向に揺動して転倒しないようにすることを目的として開発されたものである。
【先行技術文献】
【特許文献】
【０００３】
【特許文献１】特開２０１１−０６９０５８号公報
【特許文献２】特開平９-２０９６１４号公報
【特許文献３】実公昭５４−６２５５号公報
【発明の概要】
【発明が解決しようとする課題】
【０００４】
しかしながら、上記従来の蛇腹式テント（特許文献１）では、各屋根フレーム間に設けられる平行移動機構が、平行リンク機構を２つ連結したような構造であって、隣の屋根フレーム間に設けられる平行移動機構と連動せずに独立して作動することができる構造となっているため、強風が吹いた場合には、例えばある一つの屋根フレームに大きな力が作用すると、その屋根フレームが前後方向に揺動することを防止するには十分でなかった。
【０００５】
本発明は、上記従来の問題を解決するため、屋根フレームが前後方向に揺動して転倒しないようにする蛇腹式テント構造体を提供することを主たる目的とする。
【課題を解決するための手段】
【０００６】
本発明は、上記目的を達成するため、本発明に係る蛇腹式テント構造体は、前後方向に移動可能に設けられた複数の屋根フレームと、縦向きに設けられて前記屋根フレームの各々を伸縮可能に連結する縦パンタグラフ機構と、を備え、前記縦パンタグラフ機構は、前後方向に連結された複数のＸ形リンクを備え、前記縦パンタグラフ機構の隣り合うＸ形リンクの上下端部の連結部は、前記複数の屋根フレームの各々に連結されるとともに隣り合う屋根フレーム間において縦材と連結され、前記縦材は、前記Ｘ形リンクの連結部によって支持されるとともに、前記屋根フレームの上辺と略平行に延びるテントシート支持部材を上端部に備え、前記隣り合うＸ形リンクを互いに連結する上下端部の連結部は、上端部又は下端部の何れか一方のみの連結部が上下方向に可動に連結されていることを特徴とする。
【０００７】
前記縦材は、前記Ｘ形リンクの連結部を上下方向に可動に連結するための縦スリットが形成されていることが好ましい。
【０００８】
横向きに設けられて前記屋根フレームの各々を伸縮可能に連結する横パンタグラフ機構を更に備えることが好ましい。
【発明の効果】
【０００９】
本発明によれば、縦パンタグラフ機構を構成するＸ形リンクが、全長に亘って共通の連結部で連結されるとともに、連結部が各屋根フレームに連結されているため、屋根フレームが前後方向に揺動を効果的に防ぐことができる。更に、屋根フレーム間に複数のＸ形リンクを連結するとともに、その連結位置にテントシート支持部材を設けることにより、各屋根フレーム間でテントシートを支持し、各屋根フレーム間のテントシートの弛みを少なくし、各屋根フレームに対してテントシートを介して当たる強風の影響を小さくすることで、屋根フレームの前後方向の揺動を減少させることができる。
【図面の簡単な説明】
【００１０】
【図１】本発明に係る蛇腹式テント構造体の一実施形態を示す正面図である。
【図２】図１の蛇腹式テント構造体の左側面図である。
【図３】図１の蛇腹式テント構造体の平面図である。
【図４】図１の蛇腹式テント構造体の屋根フレーム間隔が収縮した状態を示す左側面図である。
【図５】図１のＶ−Ｖ視を拡大して示す要部拡大平面図である。
【図６】図５のＶＩ−ＶＩ視を拡大して示す要部拡大正面図である。
【図７】図５のＶＩＩ−ＶＩＩ視を拡大して示す要部拡大正面図である。
【図８】図１の要部を拡大して示す要部拡大正面図である。
【図９】図８のＩＸ−ＩＸ視を示す要部拡大右側面図である。
【図１０】図９のＸ−Ｘ視を拡大して示す要部拡大背面図である。
【図１１】図１０のＸＩ−ＸＩ視に相当し、縦材を示す側面図である。
【発明を実施するための形態】
【００１１】
本発明に係る蛇腹式テント構造体の一実施形態について、以下に図１〜図１１を参照して説明する。
【００１２】
蛇腹式テント構造体１は、前後方向（図２の矢印Ｘ方向）に移動可能に設けられた複数の屋根フレーム２と、横向きに設けられて屋根フレーム２の各々を伸縮可能に連結する横パンタグラフ機構３と、縦向きに設けられて屋根フレーム２…の各々を伸縮可能に連結する縦パンタグラフ機構４と、を備えている。複数の屋根フレーム２にわたってテントシート５が覆設される。
【００１３】
屋根フレーム２は、前後方向に、複数個が並列に配列されており、合掌組みされた主トラス梁２ａと、両端に固定された比較的短い柱材２ｂと、柱材２ｂの下部に回転可能に設けられた車輪６と、両端の柱材２ｂ、２ｂを連結する水平梁材２ｃと、束材２ｄと、を備えている。主トラス梁２ａは、上弦材２ａ１、下弦材２ａ２、上弦材２ａ１と下弦材２ａ２とを連結する斜材２ａ３とを備えている。柱材２ｂは、左右一対の柱フレーム２ｂ１、２ｂ２と、柱フレーム２ｂ１、２ｂ２を連結する継フレーム２ｂ３とを備えている。束材２ｄは、上弦材２ａ１と下弦材２ａを連結するとともに、下弦材２ａ２と水平梁材２ｃとを連結している。
【００１４】
屋根フレーム２は、左右の仮設足場７の上部に、前後方向に敷設されたレール８上を車輪が転動するようにされている。仮設足場７は、所定間隔をおいて立設されるトラス柱７ａ、トラス柱７ａを連結する横継材７ｂ等で組み立てられている。なお、仮設足場７の側面にも、図示しないテントシートが張設される。
【００１５】
横パンタグラフ機構３は、図３及び図５を参照すれば、並列して隣り合う屋根フレーム２の水平梁材２ｃをＸ形リンク３ａによって互いに連結することによって形成されている。Ｘ形リンク３ａは、図５に示すように、２本のリンク３ａ１、３ａ２が中央交差位置３ａ３で互いに回動可能に連結されている。隣り合うＸ形リンク３ａ、３ａは、其々の端部で互いに連結されており、連結された一方の端部の連結部３ａ４（図５）が固定位置にあり、連結された他方の端部の連結部３ａ５が左右方向（図５，６の矢印Ｙ方向）に移動可能に連結されている。隣り合うＸ形リンク３ａ，３ａが連結されている他方の端部の連結部３ａ５は、図６に示すように、アイボルト３ａ６の軸部によって互いに回動可能に連結されるとともに、水平梁材２ｃに固定したガイドバー３ａ７にアイボルト３ａ６のリング３ａ８を遊嵌することにより左右方向（矢印Ｙ方向）に移動可能に連結されている。隣り合うＸ形リンク３ａ，３ａが連結されている一方の端部の連結部３ａ４は、図７に示すように、水平梁材２ｃに立設されたボルト３ａ９に互いに回動可能に連結されている。図示例において、横パンタグラフ機構３は、図３に示すように、正面中央位置を挟んで屋根フレーム２の左右に対称に配置されている。
【００１６】
なお、本発明において「横パンタグラフ機構３を横向きに設け」とは、横パンタグラフ機構の可動要素、即ち、Ｘ形リンク３ａが、横向きであることを意味する。横パンタグラフ機構３のＸ形リンクは、図示例ではほぼ水平であるが、前後方向に隣り合う下弦材２ａ２に連結することにより水平からやや傾斜して設けることもできる。
【００１７】
縦パンタグラフ機構４は、図２，９を参照すれば、前後方向に連結された複数のＸ形リンク４ａを備え、隣り合うＸ形リンク４ａ、４ａの上下端部の連結部４ａ１、４ａ２が、複数の屋根フレーム２の各々に連結されるとともに、隣り合う屋根フレーム２…間において縦材９に連結されている。すなわち、隣り合う屋根フレーム２、２間に複数個（図示例では２個）のＸ形リンク４ａが連結されており、互いの連結部４ａ１，４ａ２に、縦材９が連結されている。
【００１８】
図３，９，１０を参照すれば、縦材９の上端部に、屋根フレーム２の上辺である上弦材２ａ１と略平行に延びるテントシート支持部材１０が設けられている。テントシート支持部材１０は、上弦材２ａ１と略平行に延びることにより、上弦材２ａ１と同等の高さ位置で同等の傾斜を有している。
【００１９】
縦パンタグラフ機構４の隣り合うＸ形リンク４ａ…を互いに連結する上下端部の連結部４ａ１、４ａ２は、下端部の連結部４ａ２のみが上下方向に可動に連結されており、上端部の連結部４ａ１は、同じ高さ位置に保持されている。これとは逆に、図示しないが、上端部の連結部を上下方向に可動とし、下端部の連結部を不動とすることもできる。Ｘ形リンク４ａは、２本のリンク４ａ３、４ａ４が中央交差位置４ａ５で互いに回動可能に連結されている。
【００２０】
図８，９を参照すれば、図示例では、縦パンタグラフ機構４の隣り合うＸ形リンク４ａ…の連結部４ａ１の屋根フレーム２との連結は、隣り合うＸ形リンク４ａの上端部を連通する連結ピン４ａ６（図８）を主トラス梁２ａの中央の棟位置に立設固定された束材２ｄの上方部に突定固定することにより隣り合うＸ形リンク４ａ、４ａの上端部を揺動自在に連結する一方、隣り合うＸ形リンク４ａ、４ａの下端部にアイボルト４ａ７（図８）の軸を連通させて隣り合うＸ形リンク４ａの下端部を互いに揺動自在に連結するとともに、束材２ｄの下部に固定されて上下に延びるガイドバー４ａ８にアイボルト４ａ７のリングを遊嵌することによりＸ形リンク４ａの下端部を上下動可能に連結している。
【００２１】
また、図９〜１１を参照すれば、図示例において、隣り合う屋根フレーム２、２間での縦パンタグラフ機構４の隣り合うＸ形リンク４ａ…の連結部４ａ１の縦材９との連結は、隣り合うＸ形リンク４ａの上端部の間に縦材９を挟み、それぞれに形成されたピン孔に連結ピン４ａ９（図１０）を連通させることにより隣り合うＸ形リンク４ａ、４ａの上端部を揺動自在に連結する一方、隣り合うＸ形リンク４ａ、４ａの下端部の間に縦材９を挟み、各Ｘ形リンク４ａの下端部に形成されたピン孔と縦材９に形成された縦スリット９ａに連結ピンを連通させることにより、隣り合うＸ形リンク４ａ、４ａの下端部を揺動自在且つ上下動自在に連結している。縦材９は、細長い板状とされている。
【００２２】
また、図示例では、縦パンタグラフ機構４を構成しているＸ形リンク４ａ…の連結体は、左右に一対設けられている。そしてテントシート支持部材１０は、左右一対の縦材９、９によって支持されている。
【００２３】
さらに図示例では隣り合う屋根フレーム２、２間に２つのＸ形リンク４ａ、４ａが連結されているが、屋根フレーム２、２間の最大スパン寸法によっては、隣り合う屋根フレーム２、２間に３以上のＸ形リンク４ａ…を連結することもできる。また、図示例では、屋根フレーム２の棟位置（左右の中央位置）にのみ一つの縦パンタグラフ機構４が設けられているが、中央の棟位置以外（例えば屋根フレームの左右位置）にも設けることができ、屋根フレーム２の大きさに応じて縦パンタグラフ機構の数を適宜設定することができる。
【００２４】
なお、本発明において「縦パンタグラフ機構４を縦向きに設ける」とは、縦パンタグラフ機構の可動要素、即ち、Ｘ形リンク４ａが、縦向きであることを意味する。
【００２５】
上記構成を有する蛇腹式テント構造体によれば、車輪６がレール８上を転動することにより、各屋根フレーム２…が前後方向に移動されると、各屋根フレーム２が縦パンタグラフ機構４及び横パンタグラフ機構３によって所定の間隔に伸縮される。各屋根フレーム２…の間隔が伸縮されると、テントシート５も伸縮されて所定の空間が形成される。
【００２６】
縦パンタグラフ機構４は、縦パンタグラフ機構４を構成するＸ形リンク４ａが全長に亘って共通の連結部４ａ１，４ａ２で連結されているため、１つの屋根フレーム２に連結されている一対のＸ形リンク４ａのうちの一方のＸ形リンク４ａを伸縮させると、他方のＸ形リンク４ａも連動して伸縮する。逆に言うと、一つだけのＸ形リンク４ａを伸張させ、他のＸ形リンク４ａを伸張させないようにすることはできない。すなわち、縦パンタグラフ機構４の全てのＸ形リンク４ａは連動して伸縮する。
【００２７】
そして、各屋根フレーム２にＸ形リンク４ａの連結部４ａ１、４ａ２が連結されているため、１つのＸ形リンク４ａが伸縮すれば、同時に全ての各屋根フレーム２の間隔が各々同じ間隔で伸縮する。
【００２８】
従って、各屋根フレーム２の間隔が伸張した状態において、例えば屋根のテントシート５に突風が前後方向に吹きつけた場合、テントシート５にかかる突風の力を、全ての屋根フレーム２と縦パンタグラフ機構４を構成するＸ形リンクの連結体の全体に分散させることによって、屋根フレーム２の前後方向の揺れ（図９の矢印Ｚ方向の揺れ）を効果的に防止する。
【００２９】
また、テントシート支持部材１０は、各屋根フレーム２の間隔が伸長した場合に、隣り合う屋根フレーム２、２間においてテントシート５を屋根フレーム２と同じ高さで支持するので、隣り合う屋根フレーム２、２間のテントシート５のたるみを少なくし、屋根フレーム２の各々にテントシート５を介して当たる突風の力を減少させることができる。
【００３０】
また、隣り合う屋根フレーム２、２間に複数個のＸ形リンク４ａを連結することにより、１つのＸ形リンクで隣り合う屋根フレーム２、２を連結する場合に比較して、Ｘ形リンクの高さ寸法を小さくすることができ、テント内空間を広くすることができる。
【００３１】
また、テントシート支持部材１０は、テントシート５の損傷を防止する働きもある。
【００３２】
上記実施形態においては、横パンタグラフ機構を備えた実施形態を例示したが、横パンタグラフ機構を省略することも可能である。また、屋根フレーム２は、左右両側に短い支柱２ｂとこれの下部に車輪６を備え、仮設足場７の上部に敷設されたレール８上を転動する例を示したが、これに限らず、例えば、特許文献２，３に示されている如く、左右両側に、長い支柱とこれの下部に車輪を備え、路面に敷設したレール上を車輪が転動する様にしてもよい。
【００３３】
本発明は、上記実施形態に限定解釈されるものではなく、本発明の趣旨を逸脱しない範囲において、種々の変更態様を採用することができる。
【符号の説明】
【００３４】
１  蛇腹式テント構造体
２  屋根フレーム
３  横パンタグラフ機構
４  縦パンタグラフ機構
４ａ  Ｘ形リンク
４ａ１、４ａ２  連結部
５  テントシート
９  縦材
９ａ  縦スリット
１０  テントシート支持部材
【図１】
2014134048.tif 000003
【図２】
2014134048.tif 000004
【図３】
2014134048.tif 000005
【図４】
2014134048.tif 000006
【図５】
2014134048.tif 000007
【図６】
2014134048.tif 000008
【図７】
2014134048.tif 000009
【図８】
2014134048.tif 000010
【図９】
2014134048.tif 000011
【図１０】
2014134048.tif 000012
【図１１】
2014134048.tif 000013
【手続補正書】
【提出日】平成25年3月15日(2013.3.15)
【手続補正１】
【補正対象書類名】特許請求の範囲
【補正対象項目名】請求項１
【補正方法】変更
【補正の内容】
【請求項１】
左右両端の下部に車輪が設けられ前後方向に移動可能に設けられた複数の屋根フレームと、
縦向きに設けられて前記屋根フレームの各々を伸縮可能に連結する縦パンタグラフ機構と、を備え、
前記縦パンタグラフ機構は、前後方向に連結された複数のＸ形リンクを備え、
前記縦パンタグラフ機構の隣り合うＸ形リンクの上下端部の連結部は、前記複数の屋根フレームの左右中央の棟位置に立設された束材に各々に連結されるとともに隣り合う屋根フレーム間において縦材と連結され、
前記縦材は、前記Ｘ形リンクの連結部によって支持されるとともに、前記屋根フレームの上辺と略平行に延びるとともに該上辺より短いテントシート支持部材を上端部に備え、
前記隣り合うＸ形リンクを互いに連結する上下端部の連結部は、上端部又は下端部の何れか一方のみの連結部が上下方向に可動に連結されていることを特徴とする、蛇腹式テント構造体。
【手続補正２】
【補正対象書類名】明細書
【補正対象項目名】０００６
【補正方法】変更
【補正の内容】
【０００６】
本発明は、上記目的を達成するため、本発明に係る蛇腹式テント構造体は、左右両端の下部に車輪が設けられ前後方向に移動可能に設けられた複数の屋根フレームと、縦向きに設けられて前記屋根フレームの各々を伸縮可能に連結する縦パンタグラフ機構と、を備え、前記縦パンタグラフ機構は、前後方向に連結された複数のＸ形リンクを備え、前記縦パンタグラフ機構の隣り合うＸ形リンクの上下端部の連結部は、前記複数の屋根フレームの左右中央の棟位置に立設された束材に各々に連結されるとともに隣り合う屋根フレーム間において縦材と連結され、前記縦材は、前記Ｘ形リンクの連結部によって支持されるとともに、前記屋根フレームの上辺と略平行に延びるとともに該上辺より短いテントシート支持部材を上端部に備え、前記隣り合うＸ形リンクを互いに連結する上下端部の連結部は、上端部又は下端部の何れか一方のみの連結部が上下方向に可動に連結されていることを特徴とする。